(57)【要約】【課題】使用者が風の範囲および風速を適宜変更することができる送風装置を提供することを目的とする。【解決手段】筐体１２の側面から放射状に延設した複数の柱状体１３のダクト２０のうち一部を閉塞する遮蔽板２４を備えており、すべての柱状体１３の吹出口１９から送風するスポット気流モードと遮蔽板２４によって複数の柱状体１３のうち一部の柱状体１３の吹出口１９より送風するワイド気流モードとを備えることで、使用者が風の範囲および風速を適宜変更することができる。【選択図】図３
2019112995.tif 000002
【特許請求の範囲】
【請求項１】
筐体と、前記筐体の内部に吸込口から吸い込まれた空気を高圧空気として送風させる高圧空気発生部と、前記筐体の側面から互いに間隔を設けて放射状に延設した複数の柱状体とを有し、前記柱状体は、前記筐体の前記高圧空気発生部に連通口を介して連通するダクトと、前記柱状体の底部に前記ダクトと連通した吹出口とを備えており、複数の前記柱状体の前記ダクトのうち一部を閉塞する遮蔽板を備えており、すべての前記柱状体の吹出口から送風するスポット気流モードと前記遮蔽板によって複数の前記柱状体のうち一部の前記柱状体の吹出口より送風するワイド気流モードとを選択する制御部とを備えていることを特徴とする送風装置。
【請求項２】
筐体内で遮蔽板を回動させ、すべての柱状体のダクトと高圧空気発生部とを連通させる状態から複数の柱状体のダクトのうち一部を閉塞する状態へと切り替えることを特徴とする請求項１に記載の送風装置。
【請求項３】
隣接する柱状体との間隔が等しいことを特徴とする請求項１または２に記載の送風装置。
【請求項４】
請求項１から３のいずれか一つに記載の送風装置の前記吸込口に、空気浄化フィルタを備えたことを特徴とする空気清浄機能付送風装置。
【発明の詳細な説明】
【技術分野】
【０００１】
本発明は、居室内に設置され、直接気流による体感温度の減少や室内の空気の循環に使用される扇風機や天井扇などの送風装置、および送風装置内に取り込む空気を浄化し、浄化された空気を気流として吹出すことで室内の空気を浄化、および直接気流による体感温度の減少や室内の空気の循環に使用される空気清浄機能付送風装置に関するものである。
【背景技術】
【０００２】
従来、この種の送風装置は、羽根車とモータを台座となる基部に内包して、基部上部に備えられた円環形状の送風部から床面と水平方向に吹出すようにして空気の循環及び空気の流れを生じさせる家庭用送風装置が知られている（例えば、特許文献１参照）。
【０００３】
以下、その送風装置について図７および図８を参照しながら説明する。
【０００４】
図７には、送風機組立体１００の正面視図を、図８には、送風機組立体１００の要部断面図を示している。送風機組立体１００は、中央開口部１０２を画定する環状ノズル１０１を有している。送風機組立体１００の基部１１６内部には、環状ノズル１０１を通る空気流を生じさせる送風装置が配置されている。送風装置は、インペラ（羽根車）１３０が、モータハウジング１２６と共に配置されたモータ１２２から外方に延びる回転シャフトに連結され、ディフューザ１３２が、インペラ１３０の下流側に位置決めされている。モータ１２２は、図示しない電気接続部及び電源に接続され、複数個の選択ボタン１２０により、ユーザは、送風機組立体１００を操作することができる。
【０００５】
上記構成で、送風機組立体１００は、以下のように動作する。
【０００６】
ユーザが複数個の選択ボタン１２０の中から好みのボタンを選択してモータ１２２が起動されると、空気が空気入口１２４を介して送風機組立体１００内に吸い込まれる。空気は、外側ケーシング１１８を通り、インペラ１３０の入口１３４まで流れる。ディフューザ１３２の出口１３６及びインペラ１３０の排気部を出た空気流は、内部通路１１０を通って互いに逆の方向に進む２つの空気流に分けられる。
【０００７】
空気流は、口１１２に入る際に絞られ、口１１２の出口１４４で更に絞られる。この絞りにより、環状ノズル１０１内に圧力が生じる。
【０００８】
このように作られた空気流は、絞りにより生じる圧力に打ち勝ち、一次空気流として出口１４４を通って出る。一次空気流は、ガイド部分１４８の配置により、ユーザに向かって集中または集束して向けられる。二次空気流は、外部環境、特に出口１４４周りの領域及び環状ノズル１０１の外縁部周りからの空気の吸引によって生じる。この二次空気流は、中央開口部１０２を通り、ここで、一次空気流と混ざり合って送風機組立体１００から前方に放出される全空気流が生じる。
【先行技術文献】
【特許文献】
【０００９】
【特許文献１】特開２０１０−０７７９６９号公報
【発明の概要】
【発明が解決しようとする課題】
【００１０】
このような従来の一次空気流と二次空気流とを利用した送風装置では、送風風路は常に変化することなく一定であるため、吹出す風の範囲および風速は固定されたものであり、使用者がその時々に望む風の範囲および風速に変更できないという課題を有していた。
【００１１】
そこで本発明は、上記従来の課題を解決するものであり、使用者が風の範囲および風速を可変にできる送風装置を提供することを目的とする。
【課題を解決するための手段】
【００１２】
そして、この目的を達成するために、本発明は、筐体と、前記筐体の内部に吸込口から吸い込まれた空気を高圧空気として送風させる高圧空気発生部と、前記筐体の側面から互いに間隔を設けて放射状に延設した複数の柱状体とを有し、前記柱状体は、前記筐体の前記高圧空気発生部に連通口を介して連通するダクトと、前記柱状体の底部に前記ダクトと連通した吹出口とを備えており、複数の前記柱状体の前記ダクトのうち一部を閉塞する遮蔽板を備えており、すべての前記柱状体の吹出口から送風するスポット気流制御モードと前記遮蔽板によって複数の前記柱状体のうち一部の前記柱状体の吹出口より送風するワイド気流モードとを選択する制御部とを備えている送風装置としたものであり、これにより所期の目的を達成するものである。
【発明の効果】
【００１３】
本発明によれば、筐体と、前記筐体の内部に吸込口から吸い込まれた空気を高圧空気として送風させる高圧空気発生部と、前記筐体の側面から互いに間隔を設けて放射状に延設した複数の柱状体とを有し、前記柱状体は、前記筐体の前記高圧空気発生部に連通口を介して連通するダクトと、前記柱状体の底部に前記ダクトと連通した吹出口とを備えており、複数の前記柱状体の前記ダクトのうち一部を閉塞する遮蔽板を備えており、すべての前記柱状体の吹出口から送風するスポット気流モードと前記遮蔽板によって複数の前記柱状体のうち一部の前記柱状体の吹出口より送風するワイド気流モードとを選択する制御部とを備えていることにより、使用者が風の範囲および風速を適宜変更することが可能になる。
【図面の簡単な説明】
【００１４】
【図１】本発明の実施の形態１の送風装置の斜視図である。
【図２】同実施の形態１の送風装置の下面側から見た正面図である。
【図３】図２の同実施の形態１の送風装置の切断線Ａ−Ａ´での断面を示す断面図である。
【図４】同実施の形態１の遮蔽板単体の斜視図である。
【図５】同実施の形態１の送風装置で発生する各気流の模式図である。
【図６】（ａ）スポット気流モードにおける同実施の形態１の送風装置の断面斜視図、（ｂ）ワイド気流モードにおける同実施の形態１の送風装置の断面斜視図である。
【図７】従来技術の一例を示す正面図である。
【図８】従来技術の一例を示す断面図である。
【発明を実施するための形態】
【００１５】
本発明の請求項１に係わる送風装置は、筐体と、前記筐体の内部に吸込口から吸い込まれた空気を高圧空気として送風させる高圧空気発生部と、前記筐体の側面から互いに間隔を設けて放射状に延設した複数の柱状体とを有し、前記柱状体は、前記筐体の前記高圧空気発生部に連通口を介して連通するダクトと、前記柱状体の底部に前記ダクトと連通した吹出口とを備えており、複数の前記柱状体の前記ダクトのうち一部を閉塞する遮蔽板を備えており、すべての前記柱状体の吹出口から送風するスポット気流モードと前記遮蔽板によって複数の前記柱状体のうち一部の前記柱状体の吹出口より送風するワイド気流モードとを選択する制御部とを備えていることを特徴とするものである。
【００１６】
これにより、スポット気流モードを選択した際は、すべての柱状体の吹出口から送風されるため、筐体に近い側では、筐体から離れた遠い側よりも吹出口が密になるため、筐体に近い側では、吹出される風量が大きくなり、送風装置の筐体近傍の下流領域に気流が集まって流れる。そのため、送風範囲が小さく高風速の気流が創出されることになり、少人数の使用者が強い涼感を得ることが可能になる。
【００１７】
その一方で、ワイド気流モードを選択した際は、遮蔽板によって複数の柱状体のうち一部の柱状体の吹出口から送風されるため、筐体に近い側においても、吹出口が密にならず、
送風装置の筐体近傍の下流領域に気流が集まらないため、スポット気流モードを選択した場合と比較し、送風装置の筐体の外周側に気流が流れるようになる。そのため、送風範囲が大きくなり、比較的低風速の気流が創出されることになり、大人数の使用者が涼感を得ることが可能になる。
【００１８】
また、請求項２に係る送風装置は、筐体内で遮蔽板を回動させ、すべての柱状体のダクトと高圧空気発生部とを連通させる状態から複数の柱状体のダクトのうち一部を閉塞する状態へと切り替えることを特徴とするものである。
【００１９】
これにより、簡易な構成によって、送風装置の筐体内ですべての柱状体のダクトと高圧空気発生部とを連通させ、すべての柱状体の送風口から送風させるスポット気流モードと、すべての柱状体のダクトと高圧空気発生部とを連通させるワイド気流モードとを容易に切り替えることが可能となる。
【００２０】
また、請求項３に係わる送風装置は、隣接する柱状体との間隔が等しいことを特徴とするものである。
【００２１】
これにより、各々の柱状体の吹出口から吹出された気流によって誘引される風量が等しくなるため、送風装置から所定の距離離れた任意の平面における速度分布の均一性が向上する。このとき、平面状の各点における気流の速度差が小さくなるため、気流の乱れつまり風速の時間変動が小さくなるため、滑らかな気流を創出することが可能になる。
【００２２】
また、請求項４に係わる空気清浄機能付送風装置は、送風装置の吸込口に、空気浄化フィルタを備えたことを特徴とする空気清浄機能付送風装置とするものである。
【００２３】
これにより、吸込口から取り込まれた空気は空気浄化フィルタにより浄化され、吹出口から吹出されるため、使用者に浄化された空気を提供することができる。
【００２４】
以下、本発明の実施の形態を図面に基づいて説明する。ただし、以下に示す実施の形態は、本発明の技術思想を具体化するための送風装置を例示するものであって、本発明は送風装置を以下のものに特定しない。また、特許請求の範囲に示される部材を、実施例の部材に特定するものでは決してない。特に実施の形態に記載されている構成部材の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。また、一部の実施例、実施形態において説明された内容は、他の実施例、実施形態等に利用可能なものもある。
【００２５】
（実施の形態１）
図１は、本発明の送風装置の斜視図を示し、図２は、本発明の送風装置の下面側から見た正面図を示している。図３は、図２の切断線Ａ―Ａ´での断面を示す断面図を、図４は、本発明の送風装置に設けられる遮蔽板単体の斜視図を、図５は、遮蔽板が備えられている状態の本発明の送風装置の断面斜視図を、それぞれ示す。
【００２６】
本実施の形態の送風装置である空気清浄機能付送風装置１１は、筐体１２の第二面３５側を天井面または壁面に取付けて使用するものである。
【００２７】
図１に示すように、筐体１２は、鉛直方向下側の面を第一面３４とし、第一面３４に対向する面を第二面３５としている。第一面３４及び第二面３５は外形視円状をしており、筐体１２は第一面３４を下面とし、第二面３５を上面とした円柱状の形状である。
【００２８】
図２に示すように、送風装置は、筐体１２の側面から放射状に１６本の柱状体１３が均等になるように配置したものである。
【００２９】
図３に示すように、筐体１２は、筐体１２の側面上部に配置し筐体１２内に空気を取り入れる吸込口１４と、吸込口１４から取り入れた空気を浄化する円筒形状の空気浄化フィルタ１５を吸込口１４に対向するように装着している。また、筐体１２の第一面側には、高圧空気を発生するための羽根車１６と羽根車１６を駆動するためのモータ１７で構成された高圧空気発生部１８を備えている。また、筐体１２の内部には、高圧空気発生部１８によって送風される気流を通す通風路２５が形成されており、筐体１２の側面下部から互いに等しい間隔をとって水平方向に放射状に延設された複数の柱状体１３と、通風路からの風を柱状体１３のダクト２０に送風させる遮蔽板２４とを備えている。なお、図３に示すように、複数の柱状体１３は、それぞれ等しい外形寸法で形成さている。
【００３０】
柱状体１３は、筐体１２の吸込口１４が設けられた側とは反対側の底部２６に吹出口１９を備え、また、柱状体１３の内部には、高圧空気を吹出口１９に導くための中空状の通風路に連通するダクト２０を備えている。ダクト２０内での放射方向の空気の流れを、効率よく吹出口１９から鉛直下方の吹出し方向に整流するために、図３に示すように、ダクト２０の断面は吹出方向に向かって縦長の形状で形成されている。また、図３及び図５に示すように柱状体１３は、筐体１２から離れるにしたがい柱状体１３の底部２６が筐体の第二面側に設けられている構成によって、柱状体１３の断面が徐々に小さくなる形状である。
【００３１】
図４に示すように、遮蔽板２４は中空で天面及び底面を有さない円筒状に形成されたものであり、遮蔽板２４の側面３６には開口部３７および遮蔽部３８がそれぞれ８箇所ずつ等間隔に設けられている。そして、開口部３７は、遮蔽板２４の中心点から円周方向に３２．５度の大きさの範囲に形成されており、遮蔽部３８は、遮蔽板２４の中心点から円周方向に１２．５度の範囲に設けられている。
【００３２】
そして、図３に示すように、遮蔽板２４は、円筒状に形成された筐体１２の内形に沿うように配置されている。筐体１２の内形に沿うように配置された遮蔽板２４は、通風路２５と各柱状体のダクト２０との間に配置された構成であり、一部の柱状体１３は、遮蔽板２４の開口部３７を介して通風路２５とダクト２０と連通させ、柱状体１３の吹出口１９からは送風を行う構成となっている。また、一部の柱状体１３以外の柱状体は、遮蔽板２４の遮蔽部３８が、通風路２５とダクト２０とを遮るように配置されるため、柱状体１３の吹出口１９からは送風が行われない構成となっている。
【００３３】
なお、遮蔽板２４は、筐体１２内に設けられた遮蔽板用モータ（図示せず）の軸に連結されている。遮蔽板用モータの軸は、筐体１２の中心軸２３上に配置されている。この構成によって、遮蔽板２４は、筐体１２の中心軸２３を中心に筐体１２内を回動することで開口部３７および遮蔽部３８を回動させ、開口部３７と連通する柱状体１３のダクト２０が可変することで送風を行う柱状体１３を可変させることができる。
【００３４】
また、図３に示すように、筐体１２の上部側面には、吸込口１４が設けられ、吸込口１４が設けられた側面の下部から柱状体１３が延設している。
【００３５】
柱状体１３は、高圧空気発生部１８で発生させた高圧空気を遮蔽板２４の開口部３７を介してダクト２０内に流入させ、流入した風を吹出口１９に案内するノズル２１が形成されている。隣り合う柱状体１３の間の間隔が設けられていることによって、ノズル２１に案内され吹出口１９から吹出された空気によって誘引される空気の誘引風路２２が形成されている。つまり、本実施の形態の例では柱状体１３を１６本設けているので、柱状体１３に挟まれた間隔にそれぞれ誘引風路２２が柱状体１３と同数の１６本形成できる。
【００３６】
ここで、図３に示すようにダクト２０のノズル２１内には、吹出口１９から吹出す高圧空気の方向を制御する風向制御板２９が所定の間隔に複数設けられている。風向制御板２９は、ノズル２１の両側面から中心軸２３に平行な方向すなわちダクト２０側から吹出口１９に向かって延在するように薄板状に形成されている。また、風向制御板２９は、ノズル２１内に所定間隔を空けて、複数枚形成されている。また、風向制御板２９は、中心軸２３に近いノズル２１内において、中心軸２３から遠いノズル２１内よりも、風向制御板２９の配置されている間隔が狭くなるように備えられている。
【００３７】
図２に示すように、複数の柱状体１３の放射方向長さ２７は等しく、放射方向長さ２７は隣り合う柱状体１３間の長さの最大間隔長さ２８より大きく備えられている。
【００３８】
なお、本実施の形態では、図２において、一例として柱状体１３の本数が１６本、柱状体１３の幅が３５ｍｍ、柱状体１３の放射方向長さ２７が５００ｍｍ、最大間隔長さ２８が２３０ｍｍ、柱状体１３の高さが１８０ｍｍの場合を示している。ただし、本実施の形態では、柱状体１３の長さや幅はそれぞれ等しくしているが、異なる長さにしてもよい。
【００３９】
また、空気浄化フィルタ１５には、既知の集塵フィルタや活性炭などの脱臭フィルタを用いることができる。この空気浄化フィルタ１５を通過した空気は、ほこりや花粉、アレルギー物質などが取り除かれた浄化空気となり羽根車１６に供給される。
【００４０】
このような構成によれば、空気清浄機能付送風装置１１が稼動すると、モータ１７が駆動し、羽根車１６が回転することにより、内部流れ３２に示すように、室内空気は、吸込口１４から空気清浄機能付送風装置１１内部に取り込まれ、空気浄化フィルタ１５で埃やにおいなどの汚れを浄化された後、羽根車１６を通過し、遮蔽板２４によって選択された一部のダクト２０に至る。高圧空気は一部の柱状体１３のダクト２０を通過し、吹出口１９近傍に設けられた風向制御板２９で風向を調整され、吹出口１９から吹出し、吹出空気流３０が発生する。それに加えて、吹出空気流３０により、図１のように誘引風路２２の空気が誘引され、誘引空気流３１が発生する。その結果、使用者は、吹出空気流３０と誘引空気流３１が合流した混合気流３９を受風することになる。
【００４１】
本構成においては、筐体１２から柱状体１３を放射状に延設させているため、筐体１２から遠い側であればあるほど一定面積あたりの柱状体１３の吹出口１９の面積が小さくなる。そのため、図５で示す筐体から遠い側の吹出空気流３０ａは筐体に近い側の吹出空気流３０ｂよりも一定面積あたりの風量が少なくなる。
【００４２】
このとき、粘性という性質を有する流体の一つである空気は、風量が少ないほど風速の距離減衰（距離による風速の低下量）が大きく、なおかつ風速の低い気流は風速の高い気流に集まる性質を有している。
【００４３】
その結果、図５に示すように、筐体から遠い側の吹出空気流３０ａおよび誘引空気流３１が合流した外側混合気流３９ａは、筐体に近い側の吹出空気流３０ｂおよび誘引空気流３１が合流した内側混合気流３９ｂよりも風速の距離減衰が大きい。そのため、外側混合気流３９ａは、風速が減衰し低風速となり、筐体から遠い側の外側混合気流３９ａは、筐体に近い側の内側混合気流３９ｂに向けて偏向して流れるようになる。このような作用で図１の混合気流３９が形成される。
【００４４】
その後、筐体に近い内側混合気流３９ｂ同士が集まって流れるようになる。つまり、筐体１２の下流領域に気流が集まって流れるようになる。
【００４５】
この現象は、前述のように、筐体から遠い側の吹出空気流３０ａと筐体に近い側の吹出空気流３０ｂとの単位面積当たりの風量の差異によって生じる現象である。これは、前述の単位面積あたりの柱状体１３の吹出口１９が占める面積の割合に応じて、単位面積当たりの風量に差異が生じている。
【００４６】
したがって、単位面積あたりの柱状体１３の吹出口１９が占める面積の割合を変化させることで、外側混合気流３９ａが内側混合気流３９ｂにむけて偏向して流れる空気の流量を調整することができる。これによって使用者が享受する混合気流３９の受風範囲および風速を変化させることができる。
【００４７】
単位面積あたりの柱状体１３の吹出口１９が占める面積の割合を変化させるために、筐体１２の内形に沿うように配置された遮蔽板２４によって実現される。遮蔽板２４は、通風路２５と各柱状体のダクト２０との間に配置された構成であり、一部の柱状体１３は、遮蔽板２４の開口部３７を介して通風路２５とダクト２０と連通させ、柱状体１３の吹出口１９からは送風を行う構成となり、一部の柱状体１３以外の柱状体は、遮蔽板２４の遮蔽部３８が、通風路２５とダクト２０とを遮るように配置されるため、柱状体１３の吹出口１９からは送風が行われない構成となっている。
【００４８】
図６（ａ）に示すように、遮蔽板２４の開口部３７が、全ての柱状体１３のダクト２０と通風路２５とを連通するように位置した場合、つまり全ての柱状体１３の吹出口１９から送風を行うスポット気流モードについて以下に述べる。
【００４９】
このとき、筐体１２に近い側では、筐体１２から離れた遠い側よりも吹出口１９が密になるため、前述の単位面積あたりの柱状体１３の吹出口１９が占める面積の割合の差異が大きくなる。そのため、前述の外側混合気流３９ａが内側混合気流３９ｂにむけて偏向して流れる現象の程度が強くなり、筐体１２に近い側では、空気清浄機能付送風装置１１の筐体１２近傍の下流領域に混合気流３９が集まって流れる。つまり、送風範囲が小さく高風速の気流が創出されることになり、少人数の使用者が強い涼感を得ることが可能になる。
【００５０】
その一方で、図６（ｂ）に示すように、開口部３７が８本の柱状体１３のダクト２０と通風路２５とを連通して、遮蔽部３８が他の８本の柱状体１３のダクト２０と通風路２５とを遮蔽するように位置した場合、つまり全ての柱状体１３の内、８本の柱状体１３の吹出口１９のみから送風を行うワイド気流モードについて以下に述べる。
【００５１】
このとき、スポット気流モードと比較して、筐体１２に近い側においても吹出口１９が密にならないため、前述の単位面積あたりの柱状体１３の吹出口１９が占める面積の割合の差異が小さくなる。そのため、スポット気流モードと比較して、前述の外側混合気流３９ａが内側混合気流３９ｂにむけて偏向して流れる現象の程度が弱くなり、空気清浄機能付送風装置１１の筐体１２近傍の下流領域に気流が集まらないため、空気清浄機能付送風装置１１の筐体１２の外周側に混合気流３９が流れるようになる。つまり、送風範囲が大きくなり、比較的低風速の気流が創出されることになり、大人数の使用者が涼感を得ることが可能になる。つまり、使用者が遮蔽板２４の位置を変更することで、風の範囲および風速を適宜変更することが可能になる。
【００５２】
このとき、使用者等からスポット気流モード又はワイド気流モードを選択する指令を空気清浄機能付送風装置１１の制御部が受信し、制御部はその指令に基づいて遮蔽板２４を稼働させるモータに信号を送信し、遮蔽板２４の制御を行っている。
【００５３】
また、遮蔽板２４が筐体１２内部で回転し、送風する柱状体１３の本数を変更することで、空気清浄機能付送風装置１１や柱状体１３等の外郭に位置する大きい部材を回転させることなく、風の範囲および風速を適宜変更することが可能になる。
【００５４】
なお、本実施の形態では、開口部３７および遮蔽部３８はそれぞれ８個ずつ、開口部３７は円周方向に３２．５度、遮蔽部３８は円周方向に１２．５度の領域に設けられているが、それぞれが設けられる個数や円周方向の角度は、全ての柱状体１３の本数、送風する柱状体１３の所望の本数、送風しない柱状体１３の所望の本数によって変化する。
【００５５】
なお、本実施の形態では、スポット気流モードとワイド気流モードの２つの場合に分けて明記したが、１６本の柱状体１３のうち、遮蔽板２４の開口部３７が８本の柱状体１３のダクト２０と通風路２５とを連通して、遮蔽部３８が他の８本の柱状体１３のダクト２０と通風路２５との一部を遮蔽するように位置させることで、スポット気流モードよりも送風範囲が大きく、ワイド気流モードよりも風速が大きい気流モードを設定することも可能である。
【００５６】
また、遮蔽部３８によって遮蔽される柱状体１３を適宜変更することができるように複数の遮蔽板を備えることで、気流モードを多数設定することも可能である。これによって、より多くの使用者の使用用途・好みに応じた受風範囲および風速を有する気流を創出することができる。
【００５７】
なお、本実施の形態では、柱状体１３は筐体１２の側面下部から互いに等しい間隔をとって水平方向に放射状に延設されているが、必ずしも互いに等しい間隔を設ける必要はない。ただし、互いに等しい間隔を設けることで、各々の柱状体の吹出口から吹出された気流によって誘引される風量も互いに等しくなるため、空気清浄機能付送風装置１１から所定の距離離れた任意の平面における速度分布の均一性が向上する。このとき、平面状の各点における気流の速度差が小さくなるため、気流の乱れつまり風速の時間変動が小さくなるため、滑らかな気流を創出することが可能になる。この滑らかな気流を長時間浴びることによる使用者の疲労感は、風速が同一である条件下において、滑らかでない気流と比較して小さいことが知られている。
【００５８】
なお、本実施の形態では、風向制御板２９を中心軸２３と平行になるように設けているが、筐体１２の外周側に傾けてもよい。これにより、ワイド気流モードを選択した際は、吹出口１９から吹き出された吹出空気流３０が空気清浄機能付送風装置１１の外周方向に吹き出された後、その吹出方向に沿うように下流に向かって流れる。そのため、ワイド気流モードの受風範囲を空気清浄機能付送風装置１１のより外周側に設けることができるため、スポット気流モードとワイド気流モードそれぞれの受風範囲および風速の差異を大きくすることができる。
【００５９】
なお、本実施の形態では、空気浄化フィルタ１５を備えた空気清浄機能付送風装置１１の形態を説明したが、空気浄化フィルタ１５を備えていない送風装置としてもよい。
【産業上の利用可能性】
【００６０】
本発明は、居室内に設置され、直接気流による体感温度の減少や室内の空気の循環に使用される扇風機や天井扇などの送風装置、および送風装置内に取り込む空気を浄化し、浄化された空気を気流として吹出すことで室内の空気を浄化、および直接気流による体感温度の減少や室内の空気の循環に使用される空気清浄機能付送風装置に利用することが可能である。
【符号の説明】
【００６１】
１１    空気清浄機能付送風装置
１２    筐体
１３    柱状体
１４    吸込口
１５    空気浄化フィルタ
１６    羽根車
１７    モータ
１８    高圧空気発生部
１９    吹出口
２０    ダクト
２１    ノズル
２２    誘引風路
２３    中心軸
２４    遮蔽板
２５    通風路
２６    底部
２７    放射方向長さ
２８    最大間隔長さ
２９    風向制御板
３０    吹出空気流
３０ａ    筐体から遠い側の吹出空気流
３０ｂ    筐体に近い側の吹出空気流
３１    誘引空気流
３２    内部流れ
３４    第一面
３５    第二面
３６    側面
３７    開口部
３８    遮蔽部
３９    混合気流
３９ａ    外側混合気流
３９ｂ    内側混合気流
１００    送風機組立体
１０１    環状ノズル
１０２    中央開口部
１１０    内部通路
１１２    口
１１６    基部
１１８    外側ケーシング
１２０    選択ボタン
１２２    モータ
１２４    空気入口
１２６    モータハウジング
１３０    インペラ
１３２    ディフューザ
１３４    入口
１３６    出口
１４４    出口
１４８    ガイド部分
【図１】
2019112995.tif 000003
【図２】
2019112995.tif 000004
【図３】
2019112995.tif 000005
【図４】
2019112995.tif 000006
【図５】
2019112995.tif 000007
【図６】
2019112995.tif 000008
【図７】
2019112995.tif 000009
【図８】
2019112995.tif 000010